【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
第１の面積を有する第１端面と前記第１の面積を有する第２端面とを有するミキシング光ファイバ；
前記第１の面積を有する第１端面と前記第１の面積より小さい第２の面積を有する第２端面とを有する第１入力プラスチック光ファイバであって、前記第１入力プラスチック光ファイバの前記第２端面は、前記ミキシング光ファイバの前記第１端面の第１部分に取り付けられている、第１入力プラスチック光ファイバ；
前記第１の面積を有する第１端面と前記第１の面積より小さい第３の面積を有する第２端面とを有する第２入力プラスチック光ファイバであって、前記第２入力プラスチック光ファイバの前記第２端面は、前記ミキシング光ファイバの前記第１端面の第２部分に取り付けられている、第２入力プラスチック光ファイバ；及び
前記ミキシング光ファイバの前記第２端面に取り付けられた、前記第１の面積より小さい第４の面積を有する端面を有する複数の出力プラスチック光ファイバ
を備えるファイバ光学系。
【請求項２】
前記第２の面積と前記第３の面積との和が前記第１の面積に等しい、請求項１に記載のファイバ光学系。
【請求項３】
前記第１入力プラスチック光ファイバが、前記第１入力プラスチック光ファイバの前記第２端面と交差する第１側面を有し、前記第２入力プラスチック光ファイバが、前記第２入力プラスチック光ファイバの前記第２端面と交差する第２側面を有し、前記第１側面と前記第２側面との間に配置され、それらの向かい合う部分を金属層を用いることなく接合する、屈折率整合エポキシの層を更に備える、請求項２に記載のファイバ光学系。
【請求項４】
前記第２の面積が前記第３の面積に等しい、請求項１に記載のファイバ光学系。
【請求項５】
前記ミキシング光ファイバの前記第１端面と前記第２端面が円形の形状を有する、請求項１に記載のファイバ光学系。
【請求項６】
前記第１入力プラスチック光ファイバの前記第２端面と前記第２入力プラスチック光ファイバの前記第２端面が互いに隣接して配置され、円の弦に沿って整合する前記円のそれぞれの部分を形成する、請求項５に記載のファイバ光学系。
【請求項７】
前記ミキシング光ファイバがステップインデックスプラスチック光ファイバを含む、請求項１に記載のファイバ光学系。
【請求項８】
前記複数の出力プラスチック光ファイバのそれぞれの第１部分が埋め込まれた外側クラッディングを更に備え、前記出力プラスチック光ファイバの各々が、前記外側クラッディングを越えて延びる第２部分をそれぞれ含み、前記複数の出力プラスチック光ファイバの前記第２部分が広がっている、請求項１に記載のファイバ光学系。
【請求項９】
更に：
前記ミキシング光ファイバと、前記第１及び第２入力プラスチック光ファイバの前記ミキシング光ファイバに隣接する部分と、前記外側クラッディングの少なくとも一部とを囲むフェルール；及び
前記ミキシング光ファイバと、前記第１及び第２入力プラスチック光ファイバの前記ミキシング光ファイバに隣接する部分と、前記外側クラッディングの少なくとも一部とを前記フェルール内部に固定するために前記フェルール内部に配置されるポッティング光学エポキシ
を備える請求項８に記載のファイバ光学系。
【請求項１０】
更に：
第５の面積を有する入力面と第６の面積を有する出力面とを含むテーパ付きミキシングロッドであって、前記第５の面積が前記第６の面積より大きい、テーパ付きミキシングロッド；及び
前記テーパ付きミキシングロッドの前記入力面に取り付けられた前記第１の面積を有する端面を有する複数の第３入力プラスチック光ファイバ
を備え、
前記第１入力プラスチック光ファイバの前記第１端面が前記テーパ付きミキシングロッドの前記出力面に取り付けられている、請求項１に記載のファイバ光学系。
【請求項１１】
第１の面積を有する第１端面と前記第１の面積を有する第２端面とを有するミキシング光ファイバ；
前記ミキシング光ファイバの前記第１端面に取り付けられた第２の面積を有する端面を有するコンバイナ；
前記第１の面積に等しい断面積を有し、前記コンバイナに光学的に結合された第１の長さのプラスチック光ファイバ；
前記第１の面積に等しい断面積を有し、前記コンバイナに光学的に結合された第２の長さのプラスチック光ファイバ；及び
前記ミキシング光ファイバの前記第２端面に取り付けられた、前記第１の面積より小さい第３の面積を有する端面を有する複数の出力プラスチック光ファイバ
を備えるファイバ光学系。
【請求項１２】
前記コンバイナがＹ字形状である、請求項１１に記載のファイバ光学系。
【請求項１３】
前記第２の面積が、前記第１の面積に等しい、請求項１１に記載のファイバ光学系。
【請求項１４】
前記コンバイナが、プラスチック材料から作製されている、請求項１１に記載のファイバ光学系。
【請求項１５】
前記コンバイナが、前記ミキシング光ファイバの前記第１端面に取り付けられたそれぞれの端面を有する第１及び第２部分を備え、前記コンバイナの前記第１及び第２の部分は、屈折率整合エポキシの層で互いに接合されており、前記第１の長さのプラスチック光ファイバは、前記コンバイナの前記第１部分と一体形成され、前記第２の長さのプラスチック光ファイバは、前記コンバイナの第２部分と一体形成されている、請求項１４に記載のファイバ光学系。
【請求項１６】
前記コンバイナの前記第１部分が、前記コンバイナの前記第１部分の前記端面と交差する第１側面を有し、前記コンバイナの前記第２部分が、前記コンバイナの前記第２部分の前記端面と交差する第２側面を有し、前記屈折率整合エポキシの層が、前記第１側面及び第２側面の間に配置され、それらの向かい合う部分を金属層を用いることなく接合している、請求項１５に記載のファイバ光学系。
【請求項１７】
前記ミキシング光ファイバが、ステップインデックスプラスチック光ファイバを含む、請求項１１に記載のファイバ光学系。
【請求項１８】
前記複数の出力プラスチック光ファイバのそれぞれの第１部分が埋め込まれた外側クラッディングを更に備え、前記出力プラスチック光ファイバの各々が、前記外側クラッディングを越えて延びるそれぞれの第２部分を含み、前記複数の出力プラスチック光ファイバの前記第２部分が広がっている、請求項１１に記載のファイバ光学系。
【請求項１９】
更に：
前記ミキシング光ファイバと、前記コンバイナの一部と、前記外側クラッディングの少なくとも一部とを囲むフェルール；及び
前記ミキシング光ファイバと、前記コンバイナの前記一部と、前記外側クラッディングの少なくとも一部とを前記フェルール内部に固定するために前記フェルール内部に配置されるポッティング光学エポキシ
を備える請求項１８に記載のファイバ光学系。
【請求項２０】
前記コンバイナのそれぞれの端面が、互いに隣接して配置され、円の弦に沿って整合する前記円のそれぞれの部分を形成する、請求項１１に記載のファイバ光学系。
【請求項２１】
データ通信システムであって：
データを表す電気信号を送信及び受信するように構成された第１の複数の電気装置及び第２の複数の電気装置；
第１の複数の光／電気メディアコンバータであって、各光／電気メディアコンバータは、前記第１の複数の電気装置のそれぞれ一つから受信された電気信号を光信号に変換するそれぞれの送信器と、光信号を、前記第１の複数の電気装置の前記それぞれ一つに送信される電気信号に変換するそれぞれの受信器とを含む、第１の複数の光／電気メディアコンバータ；
第２の複数の光／電気メディアコンバータであって、各光／電気メディアコンバータは、前記第２の複数の電気装置のそれぞれ一つから受信された電気信号を光信号に変換するそれぞれの送信器と、光信号を、前記第２の複数の電気装置の前記それぞれ一つに送信される電気信号に変換するそれぞれの受信器とを含む、第２の複数の光／電気メディアコンバータ；
前記第１の複数の光／電気メディアコンバータの前記送信器にそれぞれ光学的に結合され、第１の面積を有する端面を有する、第１の複数の入力プラスチック光ファイバ；
前記第２の複数の光／電気メディアコンバータの前記送信器にそれぞれ光学的に結合され、前記第１の面積を有する端面を有する、第２の複数の入力プラスチック光ファイバ；
前記第１の複数の光／電気メディアコンバータの前記受信器にそれぞれ光学的に結合され、前記第１の面積より小さい第２の面積を有する端面を有する、第１の複数の出力プラスチック光ファイバ；
前記第２の複数の光／電気メディアコンバータの前記受信器にそれぞれ光学的に結合される第２の複数の出力プラスチック光ファイバであって、各出力プラスチック光ファイバが、前記第１の面積より小さい第３の面積を有する端面を有する、第２の複数の出力プラスチック光ファイバ；
前記第１の複数の入力プラスチック光ファイバの前記端面に取り付けられた入力面を有し、且つ出力面を有する第１送信光学ミキサと、前記第１の複数の出力プラスチック光ファイバの前記端面に取り付けられた出力面を有する第１受信光学ミキサと、前記第１送信光学ミキサの前記出力面に取り付けられた第１端面及び前記第１受信光学ミキサに取り付けられた、前記第１の面積より小さい第４の面積を有する第２端面を有する第１ラップアラウンドファイバ光路とを含む、第１光学スターカプラ；
前記第２の複数の入力プラスチック光ファイバの前記端面に取り付けられた入力面を有し、且つ出力面を有する第２送信光学ミキサと、前記第２の複数の出力プラスチック光ファイバの前記端面に取り付けられた出力面を有する第２受信光学ミキサと、前記第２送信光学ミキサの前記出力面に取り付けられた第１端面及び前第２受信光学ミキサに取り付けられた、前記第１の面積より小さい第５の面積を有する第２端面を有する第２ラップアラウンドファイバ光路とを含む第２光学スターカプラ；
前記第１送信光学ミキサの前記出力面に取り付けられた第１端面と、前記第２受信光学ミキサに取り付けられた、前記第１の面積より小さい第６の面積を有する第２端面とを有する第１ファイバ光路；並びに
前記第２送信光学ミキサの前記出力面に取り付けられた第１端面と、前記第１受信光学ミキサに取り付けられた、前記第１の面積より小さい第７の面積を有する第２端面とを有する第２ファイバ光路
を備え、
前記第１受信光学ミキサが、前記第１ラップアラウンドプラスチック光ファイバ及び第２ファイバ光路の前記第２端面に取り付けられた、前記第１の面積を有する第１端面と、前記第１の複数の出力プラスチック光ファイバの前記端面に取り付けられた、前記第１の面積を有する第２端面とを有する第１ミキシング光ファイバを含み、前記第２受信光学ミキサが、前記第２ラップアラウンドプラスチック光ファイバ及び第１ファイバ光路の前記第２端面に取り付けられた、前記第１の面積を有する第１端面と、前記第２の複数の出力プラスチック光ファイバの前記端面に取り付けられた、前記第１の面積を有する第２端面とを有する第２ミキシング光ファイバを含む、データ通信システム。
【請求項２２】
前記第４の面積と前記第７の面積の和、及び前記第６の面積と前記第５の面積の和が、それぞれ前記第１の面積に等しい、請求項２１に記載のシステム。
【請求項２３】
前記第４の面積と前記第７の面積が等しく、前記第６の面積と前記第５の面積が等しくない、請求項２２に記載のシステム。
【請求項２４】
前記第１の複数の光／電気メディアコンバータの前記受信器の各々が、前記第１の面積より小さい第８の面積を有するそれぞれの光検出器を含む、請求項２１に記載のシステム。
【請求項２５】
前記第１の複数の電気装置が、航空機の前部に位置するライン交換式ユニットであり、前記第２の複数の電気装置が、前記航空機の後部に位置するライン交換式ユニットである、請求項２１に記載のシステム。
【請求項２６】
前記第１ラップアラウンドプラスチック光ファイバが、前記第１ラップアラウンドプラスチック光ファイバの前記第２端面と交差する第１側面を有し、前記第２ファイバ光路が、前記第２ファイバ光路の前記第２端面と交差する第２側面を有し、前記第１側面と前記第２側面との間に配置され、それらの向かい合う部分を金属層を用いることなく接合する、屈折率整合エポキシの層を更に備える、請求項２１に記載のシステム。
【請求項２７】
光ネットワークに光学ミキサを設置するための方法であって：
各々が第１の面積を有する第１端面及び第２端面を形成するように、ある長さの第１プラスチック光ファイバを切断すること；
前記第１の面積より小さい第２の面積を有する第１端面と垂直に交差する第１側面を形成するように、前記第１の面積と等しい断面積を有する第２プラスチック光ファイバの端部を成形すること；
前記第１の面積より小さい第３の面積を有する第２端面と垂直に交差する第２側面を形成するように、前記第１の面積と等しい断面積を有する第３プラスチック光ファイバの端部を成形すること；
前記第２プラスチック光ファイバの前記第１側面と前記第３プラスチック光ファイバの前記第２側面とを、屈折率整合エポキシを用いて互いに接合すること；
前記第２プラスチック光ファイバの前記第１端面及び前記第３プラスチック光ファイバの前記第２端面を、屈折率整合エポキシを用いて、前記長さの前記第１プラスチック光ファイバの前記第１端面のそれぞれの部分に接合すること；
各々が前記第１の面積より小さい第４の面積を有する複数の第４プラスチック光ファイバの端面を、屈折率整合エポキシを用いて、前記長さの前記第１プラスチック光ファイバの前記第２端面のそれぞれの部分に接合すること；
前記長さの前記第１プラスチック光ファイバを、ポッティング光学エポキシを用いてフェルール内部に固定すること；並びに
前記第２及び第３プラスチック光ファイバ及び前記複数の第４プラスチック光ファイバを、前記光ネットワークの他のそれぞれの構成要素に接続すること
を含む方法。
【請求項２８】
前記第２の面積と前記第３の面積の和が、前記第１の面積に等しい、請求項２７に記載の方法。
【請求項２９】
前記第２及び第３プラスチック光ファイバの前記端部のそれぞれの部分及び前記複数の第４プラスチック光ファイバのクラッディング部分を、前記フェルール内部に固定することを更に含む、請求項２８に記載の方法。